(57)【要約】【課題】陸屋根などの設置面に太陽光発電パネルを容易に設置することを可能にする。【解決手段】太陽光発電パネル用架台１０２は、複数の太陽光発電パネル１０１を設置面Ｇに設置するための架台である。太陽光発電パネル用架台１０２は、太陽光発電パネル１０１の各々を支持する支持脚１０３と、配置された複数の太陽光発電パネル１０１の周縁部と設置面Ｇとの間のすき間を塞ぐカバー１０４とを備える。支持脚１０３の各々は、設置面Ｇに置かれる座板１０５と、太陽光発電パネル１０１の前端部を保持し、座板１０５に取り付けられる第１保持部材１０６と、座板１０５の後端部に設けられて、上方へ延びる傾斜角規定部材１０７と、太陽光発電パネル１０１の後端部を保持し、傾斜角規定部材１０７に取り付けられる第２保持部材１０８とを有する。【選択図】図３
2019094613.tif 000002
【特許請求の範囲】
【請求項１】
複数の太陽光発電パネルを、前後方向及び左右方向に並べて設置面に設置するための太陽光発電パネル用架台であって、
前記複数の太陽光発電パネルの各々が有する左端部及び右端部の各々に、又は、左端部及び右端部の各々から予め離れた距離離れた位置に、対をなして取り付けられ、それによって、前記複数の太陽光発電パネルの各々を支持する支持脚と、
前記設置面に並べて配置された前記複数の太陽光発電パネルの周縁部と前記設置面との間のすき間を塞ぐカバーとを備え、
前記支持脚の各々は、
前後方向に長さを有し、前記設置面に置かれる座板と、
前記太陽光発電パネルの前端部、表面及び裏面の一部を囲む前端保持部を有し、前記座板の前端部に取り付けられる第１保持部材と、
基端部が前記座板の後端部に設けられており、当該基端部から先端部へ向けて上方へ延びる傾斜角規定部材と、
前記太陽光発電パネルの後端部、表面及び裏面の一部を囲む後端保持部を有し、前記傾斜角設定部の前記先端部に取り付けられる第２保持部材とを有する
ことを特徴とする太陽光発電パネル用架台。
【請求項２】
前記傾斜角規定部材は、概ね真上に延びる
ことを特徴とする請求項１に記載の太陽光発電パネル用架台。
【請求項３】
前記第１保持部材は、前記座板の前記前端部に対して左右方向の軸を中心に回転可能に、かつ、着脱可能に取り付けられ、
前記第２保持部材は、前記傾斜角設定部の前記先端部に対して左右方向の軸を中心に回転可能に、かつ、着脱可能に取り付けられる
ことを特徴とする請求項１又は２に記載の太陽光発電パネル用架台。
【請求項４】
前記カバーは、
最前列にて左右に並ぶ前記太陽光発電パネルのそれぞれに対応付けて設けられており、当該対応付けられた太陽光発電パネルの前端部と前記設置面との間のすき間を塞ぐ複数の前面板と、
最左列にて前後に並ぶ前記太陽光発電パネルのそれぞれに対応付けて設けられており、当該対応付けられた太陽光発電パネルの左端部と前記設置面との間のすき間を塞ぐ複数の左側面板と、
最右列にて前後に並ぶ前記太陽光発電パネルのそれぞれに対応付けて設けられており、当該対応付けられた太陽光発電パネルの右端部と前記設置面との間のすき間を塞ぐ複数の右側面板と、
最後列にて左右に並ぶ前記太陽光発電パネルのそれぞれに対応付けて設けられており、当該対応付けられた太陽光発電パネルの後端部と前記設置面との間のすき間を塞ぐ複数の後面板と、
前後に並ぶ前記太陽光発電パネルの対のそれぞれに対応付けて設けられており、当該対応付けられた対を構成する前方及び後方の太陽光発電パネルのそれぞれの後端部及び前端部と前記設置面との間のすき間を塞ぐ複数の連結板とを有する
ことを特徴とする請求項１から３のいずれか１項に記載の太陽光発電パネル用架台。
【請求項５】
前記複数の前面板の各々は、互いに隣接する前面板同士を互いに重ね合わせて固定するための重複部を含み、
前記複数の後面板の各々は、互いに隣接する後面板同士を互いに重ね合わせて固定するための重複部を含み、
前記複数の連結板の各々は、互いに隣接する連結板同士を互いに重ね合わせて固定するための重複部を含む
ことを特徴とする請求項１から４のいずれか１項に記載の太陽光発電パネル用架台。
【請求項６】
請求項１から５のいずれか１項に記載の太陽光発電パネル用架台と、
前記複数の太陽光発電パネルとを備える
ことを特徴とする太陽光発電装置。
【請求項７】
複数の太陽光発電パネルの各々に支持脚を取り付けることと、
設置面に基準位置を決定することと、
前記決定した基準位置を基準に、前記支持脚を取り付けた複数の太陽光発電パネルを配置することと、
前記配置した複数の太陽光発電パネルの周縁部と前記設置面との間のすき間を塞ぐカバーを取り付けることとを含み、
前記支持脚を取り付けることは、
前後方向に長さを有し設置面に置かれる座板の後端部に、長さを有する傾斜角規定部材の基端部を固定することと、
座板の前端部に、前記太陽光発電パネルの前端部を保持するための第１保持部材を取り付けることと、
前記取り付けた第１保持部材と前後方向に並んで配置された第２保持部材とのそれぞれに、前記太陽光発電パネルの前端部及び後端部を保持させることと、
前記傾斜角規定部材の先端部に前記第２保持部材を取り付けることとを含む
ことを特徴とする太陽光発電装置の設置方法。
【発明の詳細な説明】
【技術分野】
【０００１】
本発明は、太陽光発電パネル用架台、太陽光発電装置、及び太陽光発電装置の設置方法に関する。
【背景技術】
【０００２】
太陽光発電パネルは、通常、屋外に設置されるので、風圧を受けることが多い。太陽光発電パネルを設置する場合は、風圧に耐えられるように、地面や屋根などの設置面に強固に固定される。太陽光発電パネルを支持する架台は、例えば特許文献１に記載のように、地面や屋根に設けられたコンクリート製の基礎に固定されることが多い。特許文献１では、太陽光発電パネルが受ける風圧を軽減するために、防風装置を設置することが提案されている。
【先行技術文献】
【特許文献】
【０００３】
【特許文献１】特開２０１５−０５９４１５号公報
【発明の概要】
【発明が解決しようとする課題】
【０００４】
しかしながら、特許文献１に記載の防風装置を設置しても、コンクリート製の基礎を設けて、それに架台を固定する必要がある。コンクリート製の基礎を設ける手間は大きい。
【０００５】
また、防風装置を設置したとしても、太陽光発電パネルの裏側の空間、すなわち太陽光発電パネルと設置面との間に風が入り込み、太陽光発電パネルが裏面からの圧力（負圧）を受ける可能性がある。基礎及び架台には、そのような負圧に耐えられるだけの強度が要求される。特許文献１に記載のように、たとえ防風装置によって基礎及び架台の軽量化が可能になったとしても、建築物の陸屋根の上に太陽光発電パネルを設置する場合、防風装置、太陽光発電パネルを組み立てるための材料を屋上まで運搬する手間は大きい。
【０００６】
このように、太陽光発電パネルを陸屋根に設置するには非常に手間が掛かるという課題がある。本発明は、この課題を解決することを目的とし、陸屋根などの設置面に太陽光発電パネルを容易に設置することを可能にする太陽光発電パネル用架台などを提供することを目的とする。
【課題を解決するための手段】
【０００７】
上記目的を達成するため、本発明の第１の観点に係る太陽光発電パネル用架台は、
複数の太陽光発電パネルを、前後方向及び左右方向に並べて設置面に設置するための太陽光発電パネル用架台であって、
前記複数の太陽光発電パネルの各々が有する左端部及び右端部の各々に、又は、左端部及び右端部の各々から予め離れた距離離れた位置に、対をなして取り付けられ、それによって、前記複数の太陽光発電パネルの各々を支持する支持脚と、
前記設置面に並べて配置された前記複数の太陽光発電パネルの周縁部と前記設置面との間のすき間を塞ぐカバーとを備え、
前記支持脚の各々は、
前後方向に長さを有し、前記設置面に置かれる座板と、
前記太陽光発電パネルの前端部、表面及び裏面の一部を囲む前端保持部を有し、前記座板の前端部に取り付けられる第１保持部材と、
基端部が前記座板の後端部に設けられており、当該基端部から先端部へ向けて上方へ延びる傾斜角規定部材と、
前記太陽光発電パネルの後端部、表面及び裏面の一部を囲む後端保持部を有し、前記傾斜角設定部の前記先端部に取り付けられる第２保持部材とを有する。
【０００８】
本発明の第２の観点に係る太陽光発電装置の設置方法は、
複数の太陽光発電パネルの各々に支持脚を取り付けることと、
設置面に基準位置を決定することと、
前記決定した基準位置を基準に、前記支持脚を取り付けた複数の太陽光発電パネルを配置することと、
前記配置した複数の太陽光発電パネルの周縁部と前記設置面との間のすき間を塞ぐカバーを取り付けることとを含み、
前記支持脚を取り付けることは、
前後方向に長さを有し設置面に置かれる座板の後端部に、長さを有する傾斜角規定部材の基端部を固定することと、
座板の前端部に、前記太陽光発電パネルの前端部を保持するための第１保持部材を取り付けることと、
前記取り付けた第１保持部材と前後方向に並んで配置された第２保持部材とのそれぞれに、前記太陽光発電パネルの前端部及び後端部を保持させることと、
前記傾斜角規定部材の先端部に前記第２保持部材を取り付けることとを含む。
【発明の効果】
【０００９】
本発明によれば、設置面に太陽光発電パネルを容易に設置することが可能になる。
【図面の簡単な説明】
【００１０】
【図１】本発明の実施の形態１に係る太陽光発電装置の斜視図である。
【図２】実施の形態１に係る太陽光発電装置の平面図である。
【図３】図２のIII−III線における太陽光発電装置の側方断面図である。
【図４】図３に示す一点鎖線ａで囲まれた領域を拡大した側方断面図である。
【図５】図３に示す一点鎖線ｂで囲まれた領域を拡大した側方断面図である。
【図６】図３に示す一点鎖線ｃで囲まれた領域を拡大した側方断面図である。
【図７】座板を示す図である。
【図８】第１保持部材を示す図である。
【図９】傾斜角規定部材を示す図である。
【図１０】Ｌ字ピンを示す図である。
【図１１】実施の形態１に係る太陽光発電装置を設置するための工程を示す図である。
【図１２】基準位置に基づいて、基準となる支持脚付きの太陽光発電パネルを配置した状態を示す図である。
【図１３】最前列の支持脚付きの太陽光発電パネルを左右に配置した状態を示す図である。
【図１４】予め定めた一定の間隔で太陽光発電パネルを前後方向に配置するための計測補助具の一例を示す図である。
【図１５】計測補助具を用いて後方の太陽光発電パネルを配置する工程を示す図である。
【図１６】本発明の実施の形態２に係る太陽光発電装置の平面図である。
【図１７】図１６のXVII−XVII線における太陽光発電装置の側方断面のうち、前方のおよそ半分を拡大して示す図である。
【発明を実施するための形態】
【００１１】
以下、本発明の実施の形態について、図面を参照しつつ説明する。全図を通じて同一の要素には同一の符号を付す。
【００１２】
（実施の形態１）
本発明の実施の形態１に係る太陽光発電装置１００は、太陽光を受けて発電する装置である。太陽光発電装置１００は、斜視図である図１、平面図である図２、側方断面図である図３〜６に示すように、複数の太陽光発電パネル１０１＿ａ〜１０１＿ｆと、本発明に特徴的な太陽光発電パネル用架台１０２とを備える。
【００１３】
なお、図３は、図２のIII−III線における側方断面図である。図４〜６のそれぞれは、図３の一点鎖線ａ〜ｃの丸で囲んだ部分の拡大図である。
【００１４】
以下の説明において、太陽光発電パネル１０１＿ａ〜１０１＿ｆの各々を特に区別しない場合、単に、太陽光発電パネル１０１とも表記する。また、複数の太陽光発電パネル１０１が並べられる方向を前後方向及び左右方向、これらの方向に垂直な方向を上下方向とする。
【００１５】
太陽光発電パネル１０１は、表面で太陽光を受けて発電するパネルである。太陽光発電パネル１０１は、適宜、電気配線（図示せず）で接続され、太陽光発電パネル１０１により発電された電力は、この電気配線、パワーコンディショナ（図示せず）などを通じて負荷などへ供給される。
【００１６】
太陽光発電パネル１０１は、一般的に、太陽電池、太陽光パネル、太陽光発電モジュール、太陽光モジュールなどとも称される。本実施の形態では、６つの太陽光発電パネル１０１が設置される例により説明する。
【００１７】
太陽光発電パネル１０１の各々は、表面が上前方を向くように配置されており、例えば表面が設置面Ｇに対して約８度傾斜するように配置される。
【００１８】
太陽光発電パネル１０１の各々には、いわゆるフレキシブル太陽光パネルが好適に採用される。フレキシブル太陽光パネルは、ガラス板ではなく樹脂シートが表面に設けており、周囲が金属製（例えばアルミニウム製）、樹脂製の可撓性を有するフレームで囲まれた太陽光発電パネルである。このようなフレキシブル太陽光パネルは、可撓性を有し、ガラス板が表面に設けられたガラスパネルなどよりも軽量である。なお、太陽光発電パネル１０１は、表面にガラス板が設けられた結晶系ガラスパネルであってもよい。
【００１９】
太陽光発電パネル１０１の各々のサイズは、適宜決められてよいが、例えば、縦が約３００〜１０００ｍｍ、横が約２０００ｍｍ、厚さが約３〜５ｍｍである。太陽光発電パネル１０１の各々の重さは、サイズによって異なるが、概ね２〜６ｋｇである。
【００２０】
太陽光発電パネル用架台１０２は、複数の太陽光発電パネル１０１を、前後方向及び左右方向に並べて設置面Ｇに設置するための架台である。設置面Ｇは、複数の太陽光発電パネル１０１を設置する領域として適宜設定される面である。太陽光発電パネル用架台１０２では、例えば陸屋根の屋根面のような水平な面が設置面Ｇとして好適である。
【００２１】
太陽光発電パネル用架台１０２は、複数の太陽光発電パネル１０１の各々を支持する支持脚１０３と、設置面Ｇに並べて配置された複数の太陽光発電パネル１０１の周縁部と設置面Ｇとの間のすき間を塞ぐカバー１０４とを備える。
【００２２】
ここで、複数の太陽光発電パネル１０１の周縁部は、太陽光発電パネル１０１の各々の前後左右の辺を構成する端部のうち、他の太陽光発電パネル１０１とは隣接していない端部で構成されるものである。
【００２３】
すなわち、本実施の形態では、太陽光発電パネル１０１＿ａ及び１０１＿ｂ、太陽光発電パネル１０１＿ｂ及び１０１＿ｃ、太陽光発電パネル１０１＿ｄ及び１０１＿ｅ、太陽光発電パネル１０１＿ｅ及び１０１＿ｆが隣接している。そのため、本実施の形態では、太陽光発電パネル１０１＿ａ及び１０１＿ｄの右端部、太陽光発電パネル１０１＿ｂ及び１０１＿ｅの左右両端部、太陽光発電パネル１０１＿ｃ及び１０１＿ｆの左端部は、複数の太陽光発電パネル１０１の周縁部に含まれない。従って、本実施の形態では、複数の太陽光発電パネル１０１の周縁部は、太陽光発電パネル１０１＿ａ及び１０１＿ｄの左端部、太陽光発電パネル１０１＿ａ〜１０１＿ｆの前端部及び後端部、太陽光発電パネル１０１＿ｃ及び１０１＿ｆの右端部から構成される。
【００２４】
ここで、「隣接する」とは、予め定められる距離（例えば数センチメートル）よりも近いことを意味する。太陽光発電パネル１０１が隣接するか否かの基準となる距離には、例えば、太陽光発電パネル１０１を吹き飛ばす程度の風が、太陽光発電パネル１０１の間のすき間を通って、太陽光発電パネル１０１の裏面へ入り込まない程度の距離が設定される。
【００２５】
支持脚１０３は、前後方向に長さを有しており、太陽光発電パネル１０１の各々に対をなしてとりつけられる。本実施の形態に係る太陽光発電装置１００では、上述の通り６つの太陽光発電パネル１０１が設置されるので、支持脚１０３は、６対すなわち１２個備えられる。
【００２６】
対をなす支持脚１０３のうちの一方は、太陽光発電パネル１０１の左端部から予め定められた距離離れた位置に取り付けられ、他方は、太陽光発電パネル１０１の右端部から予め定められた距離離れた位置に取り付けられる。なお、対をなす支持脚１０３は、太陽光発電パネル１０１の左端部と右端部との各々に取り付けられてもよい。
【００２７】
詳細には、支持脚１０３の各々は、図３〜６に示すように、座板１０５と、第１保持部材１０６と、傾斜角規定部材１０７と、第２保持部材１０８とを有する。
【００２８】
支持脚１０３を構成する部材１０５〜１０８の材料は、例えば、ステンレスである。ステンレスのように錆び難い材料を採用することによって、設置面Ｇに予め設置されている物（例えば、陸屋根の場合の防水シートなど）を錆びによって傷めることを防ぐことができる。なお、支持脚１０３を構成する部材１０５〜１０８の材料は、ステンレスに限られず、金属、樹脂などから適宜選択されてよい。
【００２９】
座板１０５は、前後方向に長さを有し、設置面Ｇに置かれる部材である。座板１０５は、図７に示すように、設置板部１０９と、前板部１１０と、左側板部１１１＿Ｌと、右側板部１１１＿Ｒとを有する。
【００３０】
なお、図７は座板１０５を示す図であって、（ａ）は平面図、（ｂ）は正面図、（ｃ）は底面図、（ｄ）は右側面図であり、座板１０５の左側面図は、その右側面図と左右対称に表れる。
【００３１】
設置板部１０９は、前後に細長く伸びる板状の部位であり、概ね、前端部の左右の角が切り欠かれた矩形をなす。設置板部１０９の底面が、設置面Ｇに設置される。設置板部１０９の底面には、適宜、図７（ｄ）の２点鎖線ＡＡで示すように、設置面Ｇに接着するための接着領域が設けられる。この接着領域ＡＡに取り付けた両面テープ、或いは塗布した接着剤などにより、設置板部１０９が設置面Ｇに接着される。これにより、太陽光発電装置１００が設置面Ｇに固定される。
【００３２】
前板部１１０は、設置板部１０９の前端部から上後方へ向かって傾斜して延びる部位である。前板部１１０には、詳細後述するカバー１０４をボルトＢで固定するための穴１１２が設けられている（なお、ボルトＢにつき、図４参照。）。
【００３３】
右側板部１１１＿Ｒ及び左側板部１１１＿Ｌは、それぞれ、設置板部１０９の右端部及び左端部から上へ向かって延びる部位である。
【００３４】
右側板部１１１＿Ｒ及び左側板部１１１＿Ｌの各々の前端部近傍には、第１保持部材１０６を取り付けるために、左右に延びる直線上に位置する穴１１３が設けられている。また、右側板部１１１＿Ｒ及び左側板部１１１＿Ｌの各々の後端部近傍には、傾斜角規定部材１０７を取り付けるために、左右に延びる直線上に位置する穴１１４が設けられている。
【００３５】
ここで、近傍は、基準となる部位又は位置から予め定められた距離までの範囲を意味し、以下においても同様の意味で用いる。例えば、前端部近傍とは、前端部から予め定められた距離までの範囲を意味する。また例えば、後端部近傍とは、後端部から予め定められた距離までの範囲を意味する。
【００３６】
傾斜角規定部材１０７は、その基端部が座板１０５の後端部に取り付けられており、当該基端部から先端部へ向けて上方へ延びる。傾斜角規定部材１０７の長さに応じて、太陽光発電パネル１０１の傾斜角が規定される。
【００３７】
また、本実施の形態では、傾斜角規定部材１０７は概ね真上に延びる。そのため、支持脚１０３が太陽光発電パネル１０１の後端部よりも後方へ突き出すことがなく、支持脚１０３を取り付けた太陽光発電パネル１０１をコンパクトにすることができる。
【００３８】
詳細には、傾斜角規定部材１０７は、図８に示すように、背板部１１５と、右板部１１６＿Ｒと、左板部１１６＿Ｌとを有する。
【００３９】
なお、図８は傾斜角規定部材１０７を示す図であって、図８（ａ）は平面図、図８（ｂ）は正面図、図８（ｃ）は右側面図であり、傾斜角規定部材１０７の左側面図は、その右側面図と左右対称に表れる。
【００４０】
背板部１１５は、概ね矩形の板状の部位である。背板部１１５は、図８（ｂ）に示すように、詳細後述するカバー１０４をボルトＢで固定するための穴１１７が上端近傍に設けられている。
【００４１】
右板部１１６＿Ｒと左板部１１６＿Ｌとは、それぞれ、背板部１１５の左右の端部から前方へ延出する平板状の部位である。右板部１１６＿Ｒと左板部１１６＿Ｌとの各々の上端部は、下前方へ向けて約８度傾斜した直線をなし、その近傍には左右に延びる直線上に位置する穴１１８が設けられている。右板部１１６＿Ｒと左板部１１６＿Ｌとの各々の下端部近傍には、左右に延びる直線上に位置する穴１１９が設けられている。
【００４２】
第１保持部材１０６は、太陽光発電パネル１０１を保持するために、座板１０５の前端部に取り付けられる部材である。第１保持部材１０６は、座板１０５の前端部に対して、左右方向の軸を中心に回転可能に、かつ、着脱可能に取り付けられる。
【００４３】
詳細には、第１保持部材１０６は、図９に示すように、保持部１２０と左右の取付片部１２１＿Ｌ，１２１＿Ｒとを有する。
【００４４】
なお、図９は第１保持部材１０６を示す図であって、図９（ａ）は平面図、図９（ｂ）は正面図、図９（ｃ）は右側面図であり、第１保持部材１０６の左側面図は、その右側面図と左右対称に表れる。
【００４５】
保持部１２０は、図９に示すように、支持板部１２２とＬ字状部１２３とを有する。支持板部１２２は、概ね矩形の平板状をなす部位である。Ｌ字状部１２３は、支持板部１２２の上面から上方へ延びた後に前方へ曲がる部位である。
【００４６】
左右の取付片部１２１＿Ｌ，１２１＿Ｒは、それぞれ、保持部１２０の左右の端部から下方へ延びる小片である。左右の取付片部１２１＿Ｌ，１２１＿Ｒの各々には、後端近傍に、左右に延びる直線上に位置する穴１２４が設けられている。
【００４７】
本実施の形態に係る第１保持部材１０６は、Ｌ字状部１２３が上方へ延びた後に後方を向くように、支持板部１２２が約８度傾斜した状態で座板１０５に取り付けられている。これにより、第１保持部材１０６の保持部１２０は前端保持部として、太陽光発電パネル１０１の前端部、表面及び裏面の一部を囲む。その結果、第１保持部材１０６は、太陽光発電パネル１０１の前端部が前方及び上下方向に移動する範囲を制限するように、太陽光発電パネル１０１を保持することができる。
【００４８】
また、本実施の形態に係る第１保持部材１０６は、２つの取付片部１２１＿Ｌ，１２１＿Ｒが座板１０５の左側板部１１１＿Ｌと右側板部１１１＿Ｒとの間に配置される。そして、図１０に示すＬ字ピン１２５が、左右の取付片部１２１＿Ｌ，１２１＿Ｒの各々に設けられた穴１２４と、左側板部１１１＿Ｌ及び右側板部１１１＿Ｒの各々の前端部近傍に設けられた穴１１３とに、貫通した状態で取り付けられる。
【００４９】
ここで、Ｌ字ピン１２５は、図１０に示すように、断面円形の棒状の部材がＬ字状に曲げられた形状をなしており、真っ直ぐに延びた棒状部１２６と、棒状部１２６の一端から棒状部１２６とは概ね直角に延びる係止部１２７と、棒状部１２６の他端からその近傍に設けられた雄ネジ部１２８とを有する。
【００５０】
Ｌ字ピン１２５の棒状部１２６が穴１２４と穴１１３とに挿設されることによって、第１保持部材１０６を座板１０５の前端部に対して、左右方向の軸を中心に回転可能に、かつ、着脱可能に取り付けることができる。
【００５１】
また、第１保持部材１０６を座板１０５に取り付けた状態では、Ｌ字ピン１２５の雄ネジ部１２８にナットが取り付けられる。これによって、Ｌ字ピン１２５は、ナットと１２７係止部とによって、抜け落ちないように左側板部１１１＿Ｌと右側板部１１１＿Ｒとに引っ掛かって止められることになる。従って、ユーザが意図しないときにＬ字ピン１２５が抜けて、第１保持部材１０６が座板１０５から離間してしまうことを防ぐことができる。
【００５２】
なお、Ｌ字ピン１２５の断面形状には、多角形などが適宜採用されてよい。
【００５３】
第２保持部材１０８は、第１保持部材１０６と同様に太陽光発電パネル１０１を保持するために、傾斜角規定部材１０７の先端部に取り付けられる部材である。第２保持部材１０８は、傾斜角規定部材１０７の先端部に対して左右方向の軸を中心に回転可能に、かつ、着脱可能に取り付けられる。
【００５４】
第２保持部材１０８は、第１保持部材１０６とは取り付けられる場所に加えて、取り付けられる向きが異なっているが、その構造は、上述した第１保持部材１０６の構造（図８参照）と同様である。
【００５５】
詳細には、第２保持部材１０８は、その保持部１２０が第１保持部材１０６の保持部１２０と太陽光発電パネル１０１を介して対向する向きで、傾斜角規定部材１０７の先端部に取り付けられる。これによって、第２保持部材１０８の保持部１２０は後端保持部として、太陽光発電パネル１０１の後端部、表面及び裏面の一部を囲む。その結果、第２保持部材１０８は、太陽光発電パネル１０１の後端部が後方及び上下方向に移動する範囲を制限するように、太陽光発電パネル１０１を保持することができる。
【００５６】
カバー１０４は、図１〜６に示すように、複数の前面板１２９＿ａ〜１２９＿ｃと、複数の右側面板１３０＿ａ，１３０＿ｂと、複数の左側面板１３１＿ａ，１３１＿ｂと、複数の後面板１３２＿ａ〜１３２＿ｃと、複数の連結板１３３＿ａ〜１３３＿ｃとを有する。
【００５７】
カバー１０４を構成する部材１２９〜１３３の材料は、例えば、ステンレスであるステンレスのように錆び難い材料を採用することによって、設置面Ｇに予め設置されている物を錆びによって傷めることを防ぐことができる。なお、カバー１０４を構成する部材１２９〜１３３の材料は、ステンレスに限られず、金属、樹脂などから適宜選択されてよい。
【００５８】
複数の前面板１２９＿ａ〜１２９＿ｃは、最前列にて左右に並ぶ太陽光発電パネル１０１＿ａ〜１０１＿ｃのそれぞれに対応付けて設けられている。そして、複数の前面板１２９＿ａ〜１２９＿ｃは、それぞれが対応付けられた太陽光発電パネル１０１＿ａ〜１０１＿ｃの前端部と設置面Ｇとの間のすき間を塞ぐ。
【００５９】
本実施の形態では、複数の前面板１２９＿ａ〜１２９＿ｃは、それぞれが対応付けられた太陽光発電パネル１０１＿ａ〜１０１＿ｃの支持脚１０３の各々を構成する座板１０５に固定される。例えば、複数の前面板１２９＿ａ〜１２９＿ｃの各々には穴が設けられており、この穴と座板１０５の前板部１１０に設けられた穴１１２とに挿設したボルトＢとナットＮとの嵌め合わせなどにより固定される。
【００６０】
また、本実施の形態では、複数の前面板１２９＿ａ〜１２９＿ｃの各々は、互いに隣接する前面板１２９＿ａ及び１２９＿ｂ，１２９＿ｂ及び１２９＿ｃ同士を互いに重ね合わせて固定するための重複部１３４を含む。これにより、複数の前面板１２９＿ａ〜１２９＿ｃは、互いの左右方向の位置を容易に決定することができる。
【００６１】
複数の右側面板１３０＿ａ，１３０＿ｂは、最右列にて前後に並ぶ太陽光発電パネル１０１＿ｃ，１０１＿ｆのそれぞれに対応付けて設けられている。そして、複数の右側面板１３０＿ａ，１３０＿ｂは、それぞれが対応付けられた太陽光発電パネル１０１＿ｃ，１０１＿ｆの右端部と設置面Ｇとの間のすき間を塞ぐ。
【００６２】
本実施の形態では詳細には、図１〜２に示すように、前方の右側面板１３０＿ａは、前面板１２９＿ｃと連結板１３３＿ｃとの各々に設けられた穴と相互に連通する穴を有しており、これらの連通した穴に挿設したボルトＢとナットＮとの嵌め合わせなどにより固定される。これにより、前方の右側面板１３０＿ａは、太陽光発電パネル１０１＿ｃの右端部と前面板１２９＿ｃと設置面Ｇと連結板１３３＿ｃとで形成されるすき間を塞ぐように固定される。
【００６３】
後方の右側面板１３０＿ｂは、連結板１３３＿ｃと後面板１３２＿ｃとの各々に設けられた穴と相互に連通する穴を有しており、これらの連通した穴に挿設したボルトＢとナットＮとの嵌め合わせなどにより固定される。これにより、後方の右側面板１３０＿ｂは、太陽光発電パネル１０１＿ｆの右端部と連結板１３３＿ｃと設置面Ｇと後面板１３２＿ｃとで形成されるすき間を塞ぐように固定される。
【００６４】
複数の左側面板１３１＿ａ，１３１＿ｂのそれぞれは、カバー１０４において複数の右側面板１３０＿ａ，１３０＿ｂと左右対称に設けられている。
【００６５】
すなわち、複数の左側面板１３１＿ａ，１３１＿ｂは、最左列にて前後に並ぶ太陽光発電パネル１０１＿ａ，１０１＿ｄのそれぞれに対応付けて設けられている。そして、複数の左側面板１３１＿ａ，１３１＿ｂは、それぞれが対応付けられた太陽光発電パネル１０１＿ａ，１０１＿ｄの左端部と設置面Ｇとの間のすき間を塞ぐ。
【００６６】
また本実施の形態では、前方の左側面板１３１＿ａは、前面板１２９＿ａと連結板１３３＿ａとの各々に設けられた穴と相互に連通する穴を有しており、これらの連通した穴に挿設したボルトＢとナットＮとの嵌め合わせなどにより固定される。これにより、前方の左側面板１３１＿ａは、太陽光発電パネル１０１＿ａの左端部と前面板１２９＿ａと設置面Ｇと連結板１３３＿ａとで形成されるすき間を塞ぐように固定される。
【００６７】
後方の左側面板１３１＿ｂは、連結板１３３＿ａと後面板１３２＿ａとの各々に設けられた穴と相互に連通する穴を有しており、これらの連通した穴に挿設したボルトＢとナットＮとの嵌め合わせなどにより固定される。これにより、後方の左側面板１３１＿ｂは、太陽光発電パネル１０１＿ｄの左端部と連結板１３３＿ａと設置面Ｇと後面板１３２＿ａとで形成されるすき間を塞ぐように固定される。
【００６８】
複数の後面板１３２＿ａ〜１３２＿ｃは、最後列にて左右に並ぶ太陽光発電パネル１０１＿ｄ〜１０１＿ｆのそれぞれに対応付けて設けられている。そして、複数の後面板１３２＿ａ〜１３２＿ｃは、それぞれが対応付けられた太陽光発電パネル１０１＿ｄ〜１０１＿ｆの後端部と設置面Ｇとの間のすき間を塞ぐ。
【００６９】
本実施の形態では、複数の後面板１３２＿ａ〜１３２＿ｃは、それぞれが対応付けられた太陽光発電パネル１０１＿ｄ〜１０１＿ｆの支持脚１０３の各々を構成する傾斜角規定部材１０７に固定される。例えば、複数の後面板１３２＿ａ〜１３２＿ｃの各々には穴が設けられており、この穴と傾斜角規定部材１０７の背板部１１５に設けられた穴１１７とに挿設したボルトＢとナットＮとの嵌め合わせなどにより固定される。
【００７０】
また、本実施の形態では、複数の後面板１３２＿ａ〜１３２＿ｃの各々は、互いに隣接する後面板１３２＿ａ及び１３２＿ｂ，１３２＿ｂ及び１３２＿ｃ同士を互いに重ね合わせて固定するための重複部１３５を含む。これにより、複数の後面板１３２＿ａ〜１３２＿ｃは、互いの左右方向の位置を容易に決定することができる。
【００７１】
複数の連結板１３３＿ａ〜１３３＿ｃは、前後に並ぶ太陽光発電パネル１０１＿ａ及び１０１＿ｄ，１０１＿ｂ及び１０１＿ｅ，１０１＿ｃ及び１０１＿ｆの各対に対応付けて設けられている。そして、複数の連結板１３３＿ａ〜１３３＿ｃは、それぞれが対応付けられた対を構成する太陽光発電パネル１０１＿ａ及び１０１＿ｄ，１０１＿ｂ及び１０１＿ｅ，１０１＿ｃ及び１０１＿ｆ同士を連結する。
【００７２】
また、複数の連結板１３３＿ａ〜１３３＿ｃは、それぞれが対応付けられた対を構成する前方及び後方の太陽光発電パネル１０１＿ａ及び１０１＿ｄ，１０１＿ｂ及び１０１＿ｅ，１０１＿ｃ及び１０１＿ｆのそれぞれの後端部及び前端部と設置面Ｇとの間のすき間を塞ぐ。
【００７３】
すなわち、本実施の形態では、例えば複数の連結板１３３＿ａに対応付けられる太陽光発電パネルは、前後に並ぶ太陽光発電パネル１０１＿ａ及び１０１＿ｄである。複数の連結板１３３＿ａは、これらの対応付けられた太陽光パネルのうちの前方の太陽光発電パネル１０１＿ａの後端部と設置面Ｇとの間のすき間を塞ぐ。また、複数の連結板１３３＿ａは、これらの対応付けられた太陽光パネルのうちの後方の太陽光発電パネル１０１＿ｄの前端部と設置面Ｇとの間のすき間を塞ぐ。
【００７４】
この点、連結板１３３＿ｂは、太陽光発電パネル１０１＿ａ及び１０１＿ｄのそれぞれを太陽光発電パネル１０１＿ｂ及び１０１＿ｅに置き換えた構成を有し、太陽光発電パネル１０１＿ｂの後端部と設置面Ｇとの間のすき間を塞ぎ、太陽光発電パネル１０１＿ｅの前端部と設置面Ｇとの間のすき間を塞ぐ。また、連結板１３３＿ｃは、太陽光発電パネル１０１＿ａ及び１０１＿ｄのそれぞれを太陽光発電パネル１０１＿ｃ及び１０１＿ｆに置き換えた構成を有し、太陽光発電パネル１０１＿ｃの後端部と設置面Ｇとの間のすき間を塞ぎ、太陽光発電パネル１０１＿ｆの前端部と設置面Ｇとの間のすき間を塞ぐ。
【００７５】
本実施の形態では、複数の連結板１３３＿ａ〜１３３＿ｃは、それぞれが対応付けられた対を構成する前方及び後方の太陽光発電パネル１０１＿ａ及び１０１＿ｄ，１０１＿ｂ及び１０１＿ｅ，１０１＿ｃ及び１０１＿ｆの支持脚１０３の各々を構成する傾斜角規定部材１０７及び座板１０５に固定される。
【００７６】
例えば、複数の連結板１３３＿ａ〜１３３＿ｃは、それぞれが対応付けられた対のうちの前方の太陽光発電パネル１０１＿ａ〜１０１＿ｃの支持脚１０３の各々を構成する傾斜角規定部材１０７に固定される。例えば、複数の連結板１３３＿ａ〜１３３＿ｃの各々には穴が設けられており、この穴と傾斜角規定部材１０７の背板部１１５に設けられた穴１１７とに挿設したボルトＢとナットＮとの嵌め合わせなどにより固定される。
【００７７】
また例えば、複数の連結板１３３＿ａ〜１３３＿ｃは、それぞれが対応付けられた対のうちの後方の太陽光発電パネル１０１＿ａ〜１０１＿ｃの支持脚１０３の各々を構成する座板１０５に固定される。例えば、複数の連結板１３３＿ａ〜１３３＿ｃの各々には穴が設けられており、この穴と座板１０５の前板部１１０に設けられた穴１１２とに挿設したボルトＢとナットＮとの嵌め合わせなどにより固定される。
【００７８】
さらに、本実施の形態では、複数の連結板１３３＿ａ〜１３３＿ｃの各々は、互いに隣接する連結板１３３＿ａ及び１３３＿ｂ，１３３＿ｂ及び１３３＿ｃ同士を互いに重ね合わせて固定するための重複部１３６を含む。これにより、複数の連結板１３３＿ａ〜１３３＿ｃは、互いの左右方向の位置を容易に決定することができる。
【００７９】
これまで、本発明の実施の形態１に係る太陽光発電装置１００の構成を説明した。ここから、本実施の形態に係る太陽光発電装置１００の設置方法について説明する。
【００８０】
図１１は、太陽光発電装置１００の設置方法に含まれる工程の流れを示す図である。太陽光発電装置１００を構成する各種部材、すなわち、複数の太陽光発電パネル１０１＿ａ〜１０１＿ｆ、１２個の支持脚１０３を構成する部材、カバー１０４を構成する部材を準備して、設置面Ｇへ運搬する（工程１）。
【００８１】
支持脚１０３を構成する部材は、座板１０５、第１保持部材１０６、傾斜角規定部材１０７、第２保持部材１０８、これらを固定するためのボルトＢ及びナットＮを含む。カバー１０４を構成する部材は、前面板１２９＿ａ〜１２９＿ｃ、右側面板１３０＿ａ，１３０＿ｂ、左側面板１３１＿ａ，１３１＿ｂ、後面板１３２＿ａ〜１３２＿ｃと、連結板１３３＿ａ〜１３３＿ｃ、これらを固定するためのボルトＢ及びナットＮを含む。
【００８２】
例えば設置面Ｇが陸屋根の屋根面である場合、一般的に、太陽光発電装置１００を構成する各種部材を建物の屋上に運ぶ必要がある。本実施の形態に係る太陽光発電パネル１０１は、上述のような大きさ及び重さであるので、居住者が利用する通常のエレベータや階段を利用して容易に運ぶことができる。また、支持脚１０３及びカバー１０４を構成する部材も、太陽光発電パネル１０１に対応する大きさであり、ステンレスのような軽量な材料で作られるので、居住者が利用する通常のエレベータや階段を利用して容易に運ぶことができる。
【００８３】
工程１で運んだ部材を利用して、一対の支持脚１０３が太陽光発電パネル１０１の各々に取り付けられる（工程２）。
【００８４】
ここで、支持脚１０３を取り付ける工程の詳細は、次の通りである。
【００８５】
座板１０５の後端部に、長さを有する傾斜角規定部材１０７の基端部をボルトＢ及びナットＮで固定する。座板１０５の前端部に第１保持部材１０６をＬ字ピン１２５で取り付けた後、Ｌ字ピン１２５の雄ネジ部１２８にナットを嵌める。これにより、第１保持部材１０６は、座板１０５の前端近傍に、Ｌ字ピン１２５を中心として回転可能に取り付けられる。
【００８６】
第１保持部材１０６の保持部１２０に太陽光発電パネル１０１の前端部を挿入することによって、太陽光発電パネル１０１の前端部を第１保持部材１０６に保持させる。第１保持部材１０６の後方に位置する太陽光発電パネル１０１の後端部を第２保持部材１０８の保持部１２０に挿入することによって、太陽光発電パネル１０１の後端部を第２保持部材１０８に保持させる。そして、第２保持部材１０８を傾斜角規定部材１０７の先端部にＬ字ピン１２５で取り付けた後、Ｌ字ピン１２５の雄ネジ部１２８にナットを嵌める。
【００８７】
これにより、太陽光発電パネル１０１の前端部及び後端部のそれぞれは、前後方向に並んで配置された第１保持部材１０６及び第２保持部材１０８の各々の保持部１２０に保持され、これによって、太陽光発電パネル１０１に支持脚１０３が取り付けられる。同様の方法で、もう１つの支持脚１０３が太陽光発電パネル１０１に取り付けられる。これを繰り返すことによって、各太陽光発電パネル１０１に、一対の支持脚１０３を取り付けることができる。
【００８８】
なお、ここで説明した支持脚１０３を太陽光発電パネル１０１に取り付ける方法は一例に過ぎず、適宜変更されてもよい。
【００８９】
設置面Ｇに基準位置Ｏが決定される（工程３）。基準位置Ｏは、太陽光発電パネル１０１を配置する際の基準となる位置であり、左前、右前、左後ろ、右後ろなど端に配置される太陽光発電パネル１０１の位置決めに利用される。本実施の形態に係る基準位置Ｏは、左前に配置される太陽光発電パネル１０１の位置を定めるものとする（図１２参照）。
【００９０】
基準位置Ｏを利用して、支持脚１０３付きの太陽光発電パネル１０１が配置される（工程４）。
【００９１】
詳細には、図１２に示すように、基準位置Ｏを基準に右方に延びる直線Ｌ１、基準位置Ｏを基準に後方に延びる直線Ｌ２、が引かれる。この直線Ｌ１，Ｌ２は、太陽光発電パネル１０１を設置すると必要がないため、除去し易いもので引かれるとよく、例えば雨などで自然に消える白墨などで引かれるとよい。まず、太陽光発電パネル１０１＿ａは、左前の角が基準位置Ｏに一致し、かつ、前端部及び左端部のそれぞれが直線Ｌ１，Ｌ２に沿うように、配置される。
【００９２】
次に、図１３に示すように、太陽光発電パネル１０１＿ｂが、前端部を直線Ｌ１に沿わせるように、太陽光発電パネル１０１＿ａの右に並べて配置される。続けて、太陽光発電パネル１０１＿ｃが、前端部を直線Ｌ１に沿わせるように、太陽光発電パネル１０１＿ｂの右に並べて配置される。
【００９３】
図１４に示すような計測補助具１３７が２つ準備される。図１５に示すように、太陽光発電パネル１０１＿ａの支持脚１０３の各々の後端に接するように計測補助具１３７を、予め定められた向きで配置する。太陽光発電パネル１０１＿ｄは、左辺部が直線Ｌ２に沿うように、かつ、支持脚１０３の前端がそれぞれに対応する計測補助具１３７に接するように、配置される。このように、計測補助具１３７を利用することで、前後に並ぶ太陽光発電パネル１０１＿ａ，１０１＿ｄを、予め定められた間隔で容易に配置することができる。なお、ここで例えば、１つの計測補助具１３７のみを利用して、支持脚１０３の前後の位置が１つずつ調整されてもよいことはもちろんである。
【００９４】
太陽光発電パネル１０１＿ｅが、計測補助具１３７を利用して同様に太陽光発電パネル１０１＿ｂから予め定められた距離離れた位置で、太陽光発電パネル１０１＿ｄの右に並べて配置される。そして、太陽光発電パネル１０１＿ｆが、計測補助具１３７を利用して同様に太陽光発電パネル１０１＿ｃから予め定められた距離離れた位置で、太陽光発電パネル１０１＿ｅの右に並べて配置される。これにより、支持脚１０３付きの太陽光発電パネル１０１＿ａ〜１０１＿ｆが配置される（例えば図２参照）。このとき、太陽光発電パネル１０１＿ａ〜１０１＿ｆの各々が配置されるたびに、それぞれに取り付けられた支持脚１０３の座板１０５の接着領域が、接地面Ｇに接着されてもよい。
【００９５】
なお、ここで説明した支持脚１０３付きの太陽光発電パネル１０１を配置する方法は一例に過ぎず、適宜変更されてもよい。
【００９６】
配置されたた支持脚１０３付きの複数の太陽光発電パネル１０１＿ａ〜１０１＿ｆの周縁部と設置面Ｇとの間のすき間を塞ぐカバーが取り付けられる（工程５）。
【００９７】
例えば、まず、前面板１２９＿ａ〜１２９＿ｃが左から順に取り付けられ、連結板１３３＿ａ〜１３３＿ｃが左から順に取り付けられ、後面板１３２＿ａ〜１３２＿ｃが左から順に取り付けられる。このとき、各々の重複部も、重なり合った状態で固定される。左側面板１３１＿ａ，１３１＿ｂ、右側面板１３０＿ａ，１３０＿ｂの各々が取り付けられる。これによって、カバー１０４が取り付けられる。
【００９８】
これにより、本実施の形態に係る太陽光発電装置１００が設置される。
【００９９】
本実施の形態に係る太陽光発電パネル用架台１０２は、設置面Ｇに並べて配置された複数の太陽光発電パネル１０１の周縁部と設置面Ｇとの間のすき間を塞ぐカバー１０４を備える。このようなカバー１０４により、風が太陽光発電パネル１０１の下に入り込み難くなる。その結果、風が吹いた場合に、太陽光発電パネル１０１は、それを設置面Ｇに押し付けるような正圧を受けることとなって、吹き飛ばされ難くなる。これにより、コンクリート製の基礎などを設ける必要がなくなるので、陸屋根などの設置面Ｇに太陽光発電パネルを容易に設置することを可能になる。
【０１００】
本実施の形態に係る各支持脚１０３を構成する部材は共通であり、各支持脚１０３の組み立てが容易である。また、カバー１０４を構成する部材は、形状及び大きさが概ね同じであり、太陽光発電パネル１０１の配置が種々変更されても、これらを繰り返し接続することで、複数の太陽光発電パネル１０１の周縁部と設置面Ｇとの間のすき間を覆うことができる。従って、太陽光発電パネル用架台１０２を容易に設置することを可能になる。
【０１０１】
本実施の形態に係るカバー１０４を構成する複数の前面板１２９＿ａ〜１２９＿ｃと複数の後面板１３２＿ａ〜１３２＿ｃと複数の連結板１３３＿ａ〜１３３＿ｃとは、単に支持脚１０３に固定されるだけではなく、重複部１３４〜１３６により相互に固定される。
【０１０２】
これにより、カバー１０４は面状に一体化され、例えば陸屋根のような風を受け易い設置面Ｇに設置されても、風が太陽光発電パネル１０１の下に入り込み難くなる。その結果、風が吹いた場合に、太陽光発電パネル１０１は全体的に、それを設置面Ｇに押し付けるような正圧を受けることとなって、より一層吹き飛ばされ難くなる。
【０１０３】
本実施の形態ではさらに、複数の右側面板１３０＿ａ，１３０＿ｂ及び複数の左側面板１３１＿ａ，１３１＿ｂの各々が、面板１２９＿ａ〜１２９＿ｃと連結板１３３＿ａ〜１３３＿ｃ、又は、後面板１３２＿ａ〜１３２＿ｃと連結板１３３＿ａ〜１３３＿ｃ、に固定される。
【０１０４】
これにより、カバー１０４が全体的に一体化され、さらに、風が太陽光発電パネル１０１の下に入り込み難くなる。その結果、風が吹いた場合に、太陽光発電パネル１０１は全体的に、それを設置面Ｇに押し付けるような正圧を受けることとなって、より一層吹き飛ばされ難くなる。
【０１０５】
本実施の形態に係る太陽光発電パネル用架台１０２では、太陽光発電パネル１０１の前端部などを保持する第１保持部材１０６と、後端部などを保持する第２保持部材１０８とのいずれもが、Ｌ字ピン１２５で取り付けられる。これにより、Ｌ字ピン１２５のナットを外せば容易に取り外すことができ、Ｌ字ピン１２５を挿設した状態では回転させることができる。
【０１０６】
そのため、前方のＬ字ピン１２５を外せば、後方のＬ字ピン１２５を中心に回転させて太陽光発電パネル１０１を持ち上げることができ、後方のＬ字ピン１２５を外せば、前方のＬ字ピン１２５を中心に回転させて太陽光発電パネル１０１を持ち上げることができる。すなわち、本実施の形態に係る太陽光発電パネル用架台１０２では、太陽光発電パネル１０１を前方及び後方のいずれからでも、容易に持ち上げることができる。
【０１０７】
通常、太陽光発電パネル１０１は、電気配線の接続やメンテナンスなどのために、太陽光発電パネル１０１の背面での作業が必要になることがある。この実施の形態によれば、設置場所の状況に応じて太陽光発電パネル１０１を前方及び後方のいずれからでも容易に持ち上げることができる。従って、電気配線の接続やメンテナンスなど、太陽光発電パネル１０１の背面での作業を容易にすることが可能になる。
【０１０８】
（実施の形態２）
実施の形態１では、前後に並ぶ太陽光発電パネル１０１＿ａ及び１０１＿ｄ，１０１＿ｂ及び１０１＿ｅ，１０１＿ｃ及び１０１＿ｆの各々が、予め定めた距離だけ前後に離間し、同じ方向へ傾斜している例により説明した。本実施の形態では、図１６に示すように、複数の太陽光発電パネル２０１＿ａ〜２０１＿ｌが、左右方向だけではなく、前後方向にも隣接して配置される例を説明する。
【０１０９】
本実施の形態に係る太陽光発電装置２００は、平面図である図１６、側方断面の拡大図である図１７に示すように、複数の太陽光発電パネル２０１＿ａ〜２０１＿ｌと、太陽光発電パネル用架台２０２とを備える。太陽光発電パネル用架台２０２は、実施の形態１と同様の複数の支持脚１０３と、カバー２０４とを備える。
【０１１０】
本実施の形態に係る複数の太陽光発電パネル２０１＿ａ〜２０１＿ｌの各々は、配置の向きや枚数が実施の形態１とは異なるが、その他は実施の形態１に係る太陽光発電パネル１０１と同様であってよい。そして、支持脚１０３は、実施の形態１と同様に対をなして太陽光発電パネル２０１＿ａ〜２０１＿ｌの各々に取り付けられるとよい。
【０１１１】
本実施の形態に係る太陽光発電パネル２０１＿ａ〜２０１＿ｃ，２０１＿ｇ〜２０１＿ｉは、それぞれ、実施の形態１に係る太陽光発電パネル１０１＿ａ〜１０１＿ｃと同様に、下前方へ向けて約８度傾斜して配置される。これに対して、太陽光発電パネル２０１＿ｄ〜２０１＿ｆ，２０１＿ｊ〜２０１＿ｌは、実施の形態１に係る太陽光発電パネル１０１＿ｄ〜１０１＿ｆとは異なる方向、本実施の形態では下後方へ向けて約８度傾斜して配置される。
【０１１２】
すなわち、図１７に示すように、太陽光発電パネル２０１＿ａ〜２０１＿ｃと太陽光発電パネル２０１＿ｄ〜２０１＿ｆとは、それぞれ、支持脚１０３の傾斜角規定部材１０７同士が隣接するように配置される。また、太陽光発電パネル２０１＿ｄ〜２０１＿ｆと太陽光発電パネル２０１＿ｇ〜２０１＿ｉとは、支持脚１０３の傾斜角規定部材１０７の前端部同士が隣接するように配置される。さらに、太陽光発電パネル２０１＿ｇ〜２０１＿ｉと太陽光発電パネル２０１＿ｊ〜２０１＿ｌとは、それぞれ、支持脚１０３の傾斜角規定部材１０７同士が隣接するように配置される。
【０１１３】
カバー２０４は、設置面Ｇに並べて配置された支持脚１０３付きの複数の太陽光発電パネル２０１＿ａ〜２０１＿ｌの周縁部と設置面Ｇとの間のすき間を塞ぐ。本実施の形態に係るカバー２０４は、実施の形態１と同様の複数の前面板１２９＿ａ〜１２９＿ｃと、実施の形態１とは異なる複数の右側面板２３０、複数の左側面板２３１、複数の後面板２３２＿ａ〜２３２＿ｃ及び複数の連結板２３３＿ａ〜２３３＿ｃとを有する。
【０１１４】
複数の右側面板２３０の各々は、右方から見て、概ね二等辺三角形をなす。右側面板２３０は、支持脚１０３の傾斜角規定部材１０７同士を隣接させて前後に並ぶ２つの太陽光発電パネル２０１＿ｃ及び２０１＿ｆ，２０１＿ｉ及び２０１＿ｌの各対に対応付けて配置される。
【０１１５】
複数の左側面板２３１の各々も、右側面板２３０と同様に、左方から見て、概ね二等辺三角形をなす。左側面板２３１は、支持脚１０３の傾斜角規定部材１０７同士を隣接させて前後に並ぶ太陽光発電パネル２０１＿ａ及び２０１＿ｄ，２０１＿ｇ及び２０１＿ｊの各対に対応付けて配置される。
【０１１６】
複数の後面板２３２＿ａ〜２３２＿ｃは、それぞれ、複数の前面板１２９＿ａ〜１２９＿ｃと同様の構成を有し、前後対称な態様で設けられる。従って、複数の後面板２３２＿ａ〜２３２＿ｃは、複数の前面板１２９＿ａ〜１２９＿ｃと同様に、互いに隣接する前面板２３２＿ａ及び２３２＿ｂ，２３２＿ｂ及び２３２＿ｃ同士を互いに重ね合わせて固定するための重複部２３５を含む。
【０１１７】
複数の連結板２３３＿ａ〜２３３＿ｃは、支持脚１０３の傾斜角規定部材１０７の前端部同士が隣接するように前後に並ぶ太陽光発電パネル２０１＿ｄ及び２０１＿ｇ，２０１＿ｅ及び２０１＿ｈ，２０１＿ｆ及び２０１＿ｉを連結する。複数の連結板２３３＿ａ〜２３３＿ｃのそれぞれは、実施の形態１に係る複数の連結板１３３＿ａ〜１３３＿ｃとは、側方から見た形状が異なるが（図３，１７参照）、この点を除いて概ね同様に構成される。従って例えば、複数の連結板２３３＿ａ〜２３３＿ｃは、実施の形態１に係る複数の連結板１３３＿ａ〜１３３＿ｃと同様に、互いに隣接する連結板２３３＿ａ及び２３３＿ｂ，２３３＿ｂ及び２３３＿ｃ同士を互いに重ね合わせて固定するための重複部２３６を含む。
【０１１８】
本実施の形態によれば、支持脚１０３の傾斜角規定部材１０７が概ね真上に延びているため、支持脚１０３が後方へ突き出すことがなく、その結果、複数の太陽光発電パネル２０１＿ａ〜２０１＿ｌを前後方向と左右方向とに隣接して配置することができる。これにより、実施の形態１のように前後方向のすき間を空けるよりも密に太陽光発電パネル２０１＿ａ〜２０１＿ｌを配置すること、すなわち、設置面Ｇの面積が同じ場合、実施の形態１よりも多くの太陽光発電パネル２０１＿ａ〜２０１＿ｌを配置することができる。その結果、設置面Ｇの面積が同じであっても、より多くの発電電力を得ることが可能になる。
【０１１９】
以上、本発明の実施の形態及び変形例について説明したが、本発明は、これらに限られるものではない。例えば、本発明は、これまで説明した実施の形態及び変形例の一部又は全部を適宜組み合わせた形態、その形態に適宜変更を加えた形態をも含む。
【符号の説明】
【０１２０】
１００  太陽光発電装置
１０１，１０１＿ａ〜１０１＿ｆ，２０１＿ａ〜２０１＿ｌ  太陽光発電パネル
１０２，２０２  太陽光発電パネル用架台
１０３  支持脚
１０４，２０４  カバー
１０５  座板
１０６  第１保持部材
１０７  傾斜角規定部材
１０８  第２保持部材
１２０  保持部
１２１＿Ｌ，１２１＿Ｒ  取付片部
１２２  支持板部
１２３  Ｌ字状部
１２５  Ｌ字ピン
１２８  雄ネジ部
１２９＿ａ〜１２９＿ｃ  前面板
１３０＿ａ，１３０＿ｂ，２３０  右側面板
１３１＿ａ，１３１＿ｂ，２３１  左側面板
１３２＿ａ〜１３２＿ｃ，２３２＿ａ〜２３２＿ｃ  後面板
１３３＿ａ〜１３３＿ｃ，２３３＿ａ〜２３３＿ｃ  連結板
１３４〜１３６，２３５〜２３６  の重複部
１３７  計測補助具
【図１】
2019094613.tif 000003
【図２】
2019094613.tif 000004
【図３】
2019094613.tif 000005
【図４】
2019094613.tif 000006
【図５】
2019094613.tif 000007
【図６】
2019094613.tif 000008
【図７】
2019094613.tif 000009
【図８】
2019094613.tif 000010
【図９】
2019094613.tif 000011
【図１０】
2019094613.tif 000012
【図１１】
2019094613.tif 000013
【図１２】
2019094613.tif 000014
【図１３】
2019094613.tif 000015
【図１４】
2019094613.tif 000016
【図１５】
2019094613.tif 000017
【図１６】
2019094613.tif 000018
【図１７】
2019094613.tif 000019